(57)【要約】【課題】設定のし忘れなどの不注意による撮像状態の不具合を未然に防止し、常に最適な撮像状態で撮像することができるようにした撮像表示装置を提供する。【解決手段】通信端末装置１は、留守モードにおいて、外部からの遠隔操作によってカメラ部２および画像処理部３を含む撮像部に撮像させるように制御される。留守モードを設定するために、操作部６を操作すると、表示部４には撮像部によって撮像された画像情報が表示される。これによって留守モードを設定するときに、撮像部によって撮像される撮像範囲の確認を、使用者に喚起して、撮像部の撮像方向を留守時に最適な撮像方向に予め調整するように促すことができる。さらに、操作部６を操作して撮像部の撮像倍率および明るさを調整する指令を入力することができるので、利用者は、撮像部による撮像範囲を確認しながら、操作部４を操作して、撮像状態を容易に変更することができる。【選択図】      図１
2005012578.tif 000002
【特許請求の範囲】
【請求項１】
撮像部と、
撮像部によって撮像された画像情報を表示する表示部と、
予め定める動作モードを設定する操作部と、
前記操作部を操作してから予め定める動作モードが設定されるまでの間に、表示部に撮像部によって撮像された画像情報を表示させ、操作部を撮像部および表示部のうち少なくとも一方への指令を入力可能な撮像指令入力機能に設定する制御部とを含むことを特徴とする撮像表示装置。
【請求項２】
前記制御部は、表示部に、撮像部によって撮像する撮像モードを含む複数のモードの中から希望する動作モードを選択するための複数のモード選択表示ボタンを表示させ、
前記操作部には、前記各モード選択ボタンに対応する複数のモード選択操作ボタンが設けられることを特徴とする請求項１記載の撮像表示装置。
【発明の詳細な説明】
【０００１】
【発明の属する技術分野】
本発明は、撮像部によって撮像された画像を表示することができる撮像表示装置に関する。
【０００２】
【従来の技術】
第１の従来の技術として、通信回線を介してファクシミリ装置の通信プロトコルによって、リモートで撮像し、撮像した画像をファクシミリ通信によって予め定めるファクシミリ装置に送信するデジタルカメラ装置がある（たとえば、特許文献１参照）。
【０００３】
第２の従来の技術として、電話回線を介して通知される呼出信号に基づいて、通信相手との通話状態を確立することなく、カメラによって撮像させるカメラシステムがある（たとえば、特許文献２参照）。
【０００４】
第３の従来の技術として、カメラによって撮像した画像を送信するテレビ電話装置がある（たとえば、特許文献３参照）。
【０００５】
【特許文献１】
特開２００１−１６９０７８号公報
【特許文献２】
特開２００１−２５８０２２号公報
【特許文献３】
特開２００１−１６９０７８号公報
【０００６】
【発明が解決しようとする課題】
第１〜第３の従来の技術では、装置が何らかの動作モードに切換えられたときに、カメラによって撮像した画像が表示されないので、利用者がカメラの撮像範囲を意識的に確認しない限り、カメラによる撮像状態を変更することができないという問題がある。
【０００７】
本発明の目的は、設定のし忘れなどの不注意による撮像状態の不具合を未然に防止し、常に最適な撮像状態で撮像することができるようにした撮像表示装置を提供することである。
【０００８】
【課題を解決するための手段】
本発明は、撮像部と、
撮像部によって撮像された画像情報を表示する表示部と、
予め定める動作モードを設定する操作部と、
前記操作部を操作してから予め定める動作モードが設定されるまでの間に、表示部に撮像部によって撮像された画像情報を表示させ、操作部を撮像部および表示部のうち少なくとも一方への指令を入力可能な撮像指令入力機能に設定する制御部とを含むことを特徴とする撮像表示装置である。
【０００９】
本発明に従えば、予め定める動作モードを設定するために、操作部を操作すると、表示部には撮像部によって撮像された画像情報が表示される。たとえば、留守中の動作モードである留守モードにおいて、外部からの遠隔操作によって撮像部に撮像させるように制御する場合、前記留守モードを設定するときに、撮像部によって撮像される撮像範囲の確認を、使用者に喚起して、撮像部の撮像方向を留守時に最適な撮像方向に予め調整するように促すことができる。つまり予め定める動作モードが、たとえば留守モードであれば留守するにあたって、それ以外の動作モードであれば留守したときに備えて、撮像部によって撮像される撮像範囲を確認させ、前記撮像範囲が適切であるか否かの注意を促すことができる。また予め定める動作モードを設定するときに表示部に、撮像部によって撮像された画像情報が表示されるので、動作モードが設定されていることを確認することができる。
【００１０】
さらに、操作部を操作して撮像部および表示部の少なくともいずれか一方の指令を入力することができるので、利用者は、撮像部による撮像範囲を確認しながら、操作部を操作して、たとえば撮像部の撮像範囲および明るさなどの撮像状態を容易に変更することができる。
【００１１】
また本発明は、前記制御部は、表示部に、撮像部によって撮像する撮像モードを含む複数のモードの中から希望する動作モードを選択するための複数のモード選択表示ボタンを表示させ、
前記操作部には、前記各モード選択ボタンに対応する複数のモード選択操作ボタンが設けられることを特徴とする。
【００１２】
本発明に従えば、表示部には、前記撮像モードを含む複数のモードの中から希望するモードを選択するための複数のモード選択表示ボタンが表示される。また前記入力部には、前記各モード選択操作ボタンに対応する複数のモード選択操作ボタンが設けられる。入力部のモード選択操作ボタンを操作することによって、表示部に表示されるモード選択表示ボタンを選択して、複数のモードの中から希望するモードを選択することができる。
【００１３】
このように、入力部のようなハードウェアによって形成されるモード選択操作ボタンを用いて、表示部に表示され、ソフトウェアによって形成されるモード選択表示ボタンを選択することによって、モード選択操作ボタンを少なく構成することができる。したがって、装置のハードウェア構成を簡略化することができ、部品数を低減して装置の組み立てを容易にすることができる。
【００１４】
【発明の実施の形態】
図１は、予め定める動作モードに含まれる留守モードを設定するときの通信端末装置１の動作の手順を示すフローチャートである。また図２は通信端末装置１の構成を示すブロック図であり、図３は通信端末装置１を示す斜視図である。
【００１５】
画像表示装置である通信端末装置１は、たとえば電話機能を有するファクシミリ装置として実現され、通信回線を介して画像を含む各種の情報を通信、すなわち送受信可能であり、処理対象としての前記情報を、処理要求に応じて処理する情報通信処理装置である。通信端末装置１は、たとえば室内に設置されて用いられ、通信回線を介して、電話回線網を含む公衆回線網に接続され、他の通信装置によって遠隔操作することができる。前記留守モードは、たとえば利用者が家を留守にするときに選択される動作モードである。
【００１６】
通信端末装置１は、カメラ部２、画像処理部３、表示部４、画像データ記憶部５、操作部６、メール制御部１１、ファクシミリ（以後、ＦＡＸと記載する場合がある）通信制御部１２、留守モニター動作記憶部１３、留守モニター動作制御部１４、留守応答制御部１５、ダイヤル制御部１６、回線インタフェース（以下、Ｉ／Ｆと記載する）部１７、スキャナ部１８、印刷部１９、ハンドセット２０、アンテナ２１、装置制御部２２、スピーカ部２３、輝度色差変換部６１、圧縮・伸張部６２、および解像度変換部６３を含む。
【００１７】
カメラ部２は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ  Ｓｅｍｉｃｏｎｄｕｃｔｏｒ；略称ＣＭＯＳ）イメージセンサなどの撮像素子と、増幅部と、アナログ／デジタル（Ａｎａｌｏｇ／Ｄｉｇｉｔａｌ；略称Ａ／Ｄ）変換部とを含む。撮像素子には、赤色（Ｒ）、緑色（Ｇ）、青色（Ｂ）の３色のカラーフィルタと、マイクロレンズアレイとが設けられている。
【００１８】
カメラ部２では、被写体で反射され撮像レンズを介して入射した光を、カラーフィルタを通してＲ，Ｇ，Ｂの３色光にして、Ｒ，Ｇ，Ｂの３色光をそれぞれ撮像素子によって電気信号に変換する。そしてＲ，Ｇ，Ｂの３色光のそれぞれに対応した電気信号を増幅部によって増幅し、増幅されたＲ，Ｇ，Ｂに対応したアナログの電気信号をＡ／Ｄ変換部によってデジタルの電気信号に変換して、画像データを生成する。前記増幅部およびＡ／Ｄ変換部は、カメラ部２とは別に設けられてもよい。カメラ部２は、制御指令に基づいて、そのシャッタスピードおよび増幅率を変更することができる。前記シャッタスピードは、撮像素子における電荷の蓄積時間によって決定される。カメラ部２は、情報を入力する入力手段である。
【００１９】
画像処理部３は、カメラ部２から与えられるデジタルの電気信号である画像データを、表示部４に適した画像フォーマットに変換する。画像処理部３は、たとえばデジタルシグナルプロセッサ（Ｄｉｇｉｔａｌ  Ｓｉｇｎａｌ  Ｐｒｏｃｅｓｓｏｒ：略称ＤＳＰ）によって実現される。画像処理部３は、制御指令に基づいて、カメラ部２から与えられる画像データを処理し、これによってカメラ部２で撮像される画像の撮像倍率を変更することができる。前記カメラ部２と画像処理部３とを含んで撮像部が構成される。
【００２０】
表示部４は、たとえばカラー表示可能な透過型の液晶表示装置によって実現され、制御指令に基づいて情報を表示する。表示部４は、バックライトを有し、バックライトを点灯させて背後から照明することによって、情報である所定の文字および画像を表示する。また表示部４は、表示用メモリを有し、この表示用メモリに表示させる画像データを一時的に格納する。表示部４は、たとえば縦方向が２４０画素であり、横方向が３２０画素のＱＶＧＡで表示する。
【００２１】
撮像データ記憶部５は、画像記憶部であり、制御指令に基づいて、表示部３の表示メモリに記憶されている画像データを圧縮した状態で記憶する。前記画像データは、後述する圧縮・伸張部６２によって予め定める圧縮方法で圧縮される。本実施の形態では、前記画像データは、静止画を表す。撮像データ記憶部６は、たとえば情報の書き換えが可能なフラッシュメモリなどの半導体装置によって実現される。
【００２２】
操作部６は、ファンクションキー、テンキー、カーソルキー、決定キーおよび留守モード設定キーなどの入力操作用の操作ボタンを含む。操作者は、操作部６の各操作ボタンを操作することによって、処理対象としての情報を入力し、また情報の処理内容を表す処理要求を入力することができる。情報の処理内容は、たとえば情報の送受信を含む。留守モード設定キーを操作することによって、装置制御部２２は、通信端末装置１を留守モードに切換える。
【００２３】
操作部６は、本体操作部７と、パネル操作部８とを含む。本実施の形態の通信端末装置１では、前記カメラ部２、画像処理部３、表示部４、画像データ記憶部５、および操作部６のパネル操作部８を含んで表示パネル９が構成され、表示パネル９は、通信端末装置本体１０に着脱可能に設けられる。
【００２４】
本実施の形態では、前記表示パネル９は、通信端末装置本体１０に着脱可能に設けられているが、表示パネル９は、通信端末装置本体１０にヒンジなどによって角変位可能に固定して設けられてもよい。
【００２５】
メール制御部１１は、制御指令に基づいて、電子メールの作成および電子メールの送受信を行う。メール制御部１１は、前記電子メールの作成、および電子メールの送受信に必要な通信プロトコルなどの制御プログラムを記憶するメールプログラムメモリ、作成した電子メールおよび受信した電子メールを記憶するメール記憶メモリ、および前記制御プログラムを実行する処理回路を含む。メールプログラムメモリは、たとえばリードオンリメモリ（Ｒｅａｄ  Ｏｎｌｙ  Ｍｅｍｏｒｙ：略称ＲＯＭ）によって実現され、メール記憶メモリは、たとえばフラッシュメモリなどの情報の書き換え可能な半導体装置によって実現される。メール記憶メモリには、電子メールを送受信するために通信回線を接続する予め定める接続先の情報が記憶されている。前記電子メールの作成は、メール作成機能を有するブラウザによって実現される。本発明の他の実施の形態において、電子メールの作成は、メーラーによって実現してもよい。
【００２６】
ＦＡＸ通信制御部１２は、制御指令に基づいて、ファクシミリ通信を行う。ＦＡＸ通信制御部１２は、たとえば画像データ記憶部５に記憶される画像データをファクシミリ通信に適した画像データに変換するための制御プログラム、およびファクシミリ通信に必要な通信プロトコルなどの制御プログラムを記憶するファクシミリプログラムメモリ、送信するファクシミリ画像、受信したファクシミリ画像を記憶するファクシミリ記憶メモリ、および前記制御プログラムを実行する処理回路を含む。ファクシミリプログラムメモリは、たとえばＲＯＭによって実現され、ファクシミリ記憶メモリは、たとえばフラッシュメモリなどの情報の書き換え可能な半導体装置によって実現される。
【００２７】
留守モニター動作記憶部１３は、ＲＯＭと、フラッシュメモリなど情報の書き換え可能な半導体装置とを含んで実現され、前記ＲＯＭには、留守モードにおける情報の処理にかかる通信端末装置１のルーチンワークなど、通信端末装置１における動作を達成するための制御プログラムを記憶している。具体的には、留守モニター動作記憶部１３は、予め定める発信音信号を表す情報と、この予め定める発信音信号を表す情報に対応する動作モードとを記憶している。
【００２８】
表１は、留守モニター動作記憶部１３に記憶される予め定める発信音信号を表す情報と、この予め定める発信音信号を表す情報に対応して記憶される動作モード、つまり制御プログラムを実行して達成される装置の動作を示す。本実施の形態では、予め定める発信音信号は、予め定めるディーティーエムエフ（略称ＤＴＭＦ：Ｄｕａｌ  Ｔｏｎｅ  Ｍｕｌｔｉ  Ｆｒｅｑｕｅｎｃｙ）信号によって表され、予め定める発信音信号を表す情報は、前記予め定める発信音信号に対応する情報である。
【００２９】
【表１】
2005012578.tif 000003
【００３０】
表１に示すように、たとえば予め定める発信音信号を表す情報である「７♯」に対応して、カメラ撮像のみを行う動作モード、つまりカメラ部２によって撮像された画像情報を撮像データ記憶部５に記憶させる動作モードが記憶される。またたとえば予め定める発信音信号を表す情報「８♯」に対応して、カメラ撮像およびメール送信を行う動作モード、つまりカメラ部２によって撮像された画像情報を、予め定める通知先に送信する動作モードが記憶される。
【００３１】
また前記留守モニター動作記憶部１３に含まれるフラッシュメモリなどの書き換え可能な半導体装置には、前記予め定める通知先情報が記憶されている。予め定める通知先情報は、たとえば電子メールのアドレス情報、およびファクシミリ番号情報の少なくともいずれか１つであり、本実施の形態では、予め定める通知先情報は、電子メールのアドレス情報であるとする。以後、電子メールのアドレス情報を、単にメールアドレスと記載する場合がある。予め定める通知先情報は、複数設定されてもよいが、本実施の形態では、たとえば予め定める通知先情報は、１つであるとする。前記メールアドレスは、操作部６による入力操作によって設定することができる。
【００３２】
留守モニター動作制御部１４は、処理回路によって実現され、制御指令に基づいて、前記留守モニター動作記憶部１３に記憶される制御プログラムを実行する。また留守モニター動作制御部１４は、回線Ｉ／Ｆ部１７を介して受信する呼出信号の回数を取得する。
【００３３】
留守応答制御部１５は、認証部であり、制御指令に基づいて、留守応答を行う。前記留守応答とは、たとえば通信回線を介して所定の応答情報であるメッセージ情報を送信し、通信回線を介して受信した音声情報を記憶する処理である。留守応答制御部１５は、留守応答に必要な制御プログラムを記憶する留守応答プログラム記憶メモリ、受信した音声情報を記憶する留守応答記憶メモリ、および前記制御プログラムを実行する処理回路を含む。留守応答プログラムメモリは、たとえばＲＯＭによって実現され、留守応答記憶メモリは、たとえばフラッシュメモリなどの情報の書き換えが可能な半導体装置によって実現される。
【００３４】
前記留守応答記憶メモリは、認証情報記憶部であり、通信端末装置１を遠隔操作するために必要な予め定める認証情報である予め定める暗証番号情報を記憶する。前記予め定める暗証番号情報は、たとえば４桁の数字で表される。前記予め定める暗証番号情報は、操作部６からの入力操作によって設定可能とし、利用者によって予め設定して登録される。
【００３５】
ダイヤル制御部１６は、処理回路によって実現され、操作部６のテンキーであるダイヤルキーによって入力される電話番号に対応した通信情報を通信回線に送出するように、ダイヤル番号の制御を行う。
【００３６】
回線Ｉ／Ｆ部１７は、通信部であり、モデムおよびネットワークコントロールユニット（Ｎｅｔ  ｗｏｒｋ  Ｃｏｎｔｒｏｌ  Ｕｎｉｔ：略称ＮＣＵ）を含む。本実施の形態では、前記モデムは、ファクシミリ通信用のモデムと、電子メール通信用のモデムとを含むが、ファクシミリ通信と電子メールの通信との両者モデム機能を有する１つのモデムで兼用してもよい。前記モデムは、情報および制御指令を含む送受信データを変復調する手段である。
【００３７】
ＮＣＵは、公衆電話交換ネットワークＰＳＴＮの通信回線への接続および接続解除を制御し、他の通信装置との通信の開始および終了を制御する。この通信は、情報の送信と情報の受信とを有する。ＮＣＵは、前記通信回線を介して呼出信号を受信すると、装置制御部２２に通信回線を介して呼出信号を受信したことを通知する。
【００３８】
スキャナ部１８は、原稿を読取るための手段である。読取った原稿の画像は、処理対象の情報である。つまりこのスキャナ部１８は、操作部６および回線Ｉ／Ｆ部１７と同様に、情報を入力する手段を構成する。
【００３９】
印刷部１９は、情報を印刷する手段である。たとえば他の通信装置から受信した情報を印刷することもできるし、スキャナ部１８で読取った情報を印刷することもできる。この印刷部１９は、情報の出力手段として機能する。スキャナ部１８および印刷部１９を用いることによって、画像を複写することができる。
【００４０】
ハンドセット２０は、送話部および受話部を有する。このハンドセット２０の送話部から音声を入力し、受話部から音声を出力する。送話部から入力した音声を他の通信装置に送信することができるし、他の通信装置から受信した音声を受話部から出力することができる。つまりハンドセットを用いて他の通信装置と通話することができる。この音声も処理対象としての情報であり、ハンドセット２０は、情報の入力手段としての機能および情報の出力手段としての機能を有する。したがって操作部６、スキャナ部１８およびハンドセット２０を含んで通信端末装置１の入力手段が構成される。
【００４１】
また通信端末装置１には、図示しない無線送受信部を含み、情報および制御指令をアンテナ２１から電波として送信することができる。また無線送受信部は、電波として到来する情報および制御指令をアンテナ２１を介して受信することができる。この本体無線送受信部およびアンテナ２１は、電話機子機と無線通信するための手段である。
【００４２】
装置制御部２２は、操作部６からの処理要求に基づいて、制御指令を送出して通信端末装置１の各部、具体的にはカメラ部２、画像処理部３、表示部４、撮像データ記憶部５、メール制御部１１、ＦＡＸ通信制御部１２、留守モニター動作制御部１４、留守応答制御部１５、ダイヤル制御部１６、回線Ｉ／Ｆ部１７および輝度色差変換部６１、圧縮・伸張部６２および解像度変換部６３を制御する。
【００４３】
装置制御部２２は、中央演算処理ユニット（Ｃｅｎｔｒａｌ  Ｐｒｏｃｅｓｓｉｎｇ  Ｕｎｉｔ：略称ＣＰＵ）と、制御プログラム記憶部とを含む。前記制御プログラム記憶部は、たとえばＲＯＭによって実現され、前記通信端末装置１の各部を制御する制御プログラムが記憶される。
【００４４】
装置制御部２２は、図２では、１つのブロックで示しているが、表示パネル９に設けられるパネル制御部と、通信端末装置本体１０に設けられる本体制御部とを含む。パネル制御部および本体制御部は、それぞれＣＰＵおよび制御プログラム記憶部を含む。パネル制御部と本体制御部とは、コネクタを介して相互に有線で通信可能に設けられる。本発明の他の実施の形態において、前記表示パネル９および通信端末装置本体１０に無線通信する無線通信部をそれぞれ設け、無線通信によって通信してもよい。
【００４５】
前記パネル制御部は、表示パネル９を通信端末装置本体１０から離脱させた状態では、表示パネル９に含まれる各部を制御する。本体制御部は、通信端末装置本体１０の各部を制御し、または表示パネル９が通信端末装置本体１０に装着されている場合には、表示パネル９に含まれる各部を含んで通信端末装置１を制御する。また前記装置制御部２２は、たとえばフラッシュメモリおよびＲＡＭ（Ｒａｎｄｏｍ  Ａｃｃｅｓｓ  Ｍｅｍｏｒｙ）などの制御記憶部を含み、この制御記憶部に表示パネル９における設定情報、たとえば撮像部における撮像倍率に関する情報および露出量に関する情報が記憶されている。
【００４６】
通信端末装置１は、ファクシミリ装置であるが、表示パネル９を通信端末装置本体１０に装着した状態で、表示部４に、インターネットに接続されたサーバーに開設されるホームページの内容を、処理対象の情報として扱い、表示させて閲覧することができる。前記ホームページの内容の閲覧は、メール制御部１１に含まれるブラウザによって実現される。また電子メールの内容を情報として扱い、表示部４に、電子メールを表示させて確認したり、電子メールを送受信したりすることができる。
【００４７】
スピーカ部２３は、発音部であり、通信回線を介して受信する呼出信号に応答した装置制御部２２からの制御指令に基づいて、呼出音を発音する。またスピーカ部２３は、留守応答制御部１５によって制御され、予め定めるメッセージ情報を発音する。
【００４８】
輝度色差変換部６１は、制御指令に基づいて、画像処理部３から与えられるＲＧＢで表される画像データを、輝度Ｙ、青色差Ｃｂおよび赤色差Ｃｒで表されるＹＣｂＣｒ方式で表される画像データに変換する。また輝度色差変換部６１は、制御指令に基づいて、ＹＣｂＣｒ方式で表される画像データをＲＧＢで表される画像データに変換する。
【００４９】
圧縮・伸張部６２は、制御指令に基づいて、予め定める圧縮方法によって画像データを圧縮し、また圧縮された画像データを伸張する。前記予め定める圧縮方法は、たとえばＪＰＥＧ（Ｊｏｉｎｔ  Ｐｈｏｔｏｇｒａｐｈｉｃ  Ｅｘｐｅｒｔ  Ｇｒｏｕｐ）方式、ＭＨ（Ｍｏｄｉｆｉｅｄ  Ｈｕｆｆｍａｎ）方式、ＭＲ（Ｍｏｄｉｆｉｅｄ  Ｒｅａｄ）方式、ＭＭＲ（Ｍｏｄｉｆｉｅｄ  Ｍｏｄｉｆｉｅｄ  Ｒｅａｄ）方式、およびＪＢＩＧ（Ｊｏｉｎｔ  Ｂｉ−ｌｅｖｅｌ  Ｉｍａｇｅ  Ｃｏｄｉｎｇ  Ｅｘｐｅｒｔｓ  Ｇｒｏｕｐ）方式を含む。たとえば、ＪＰＥＧ方式では、前記輝度色差変換部６１によってＹＣｂＣｒ方式に変換された画像データを圧縮する。
【００５０】
解像度変換部６３は、制御指令に基づいて、画像データの解像度を変換する。たとえば撮像部によって撮像された画像データを、ファクシミリ送信する場合に、ファクシミリ送信に適した解像度に画像データを変換する。
【００５１】
図３に示すように、表示パネル９は、通信端末装置１を載置台に設置した状態で、通信端末装置１の斜め上方に臨む正面部に装着され、表示パネル９に設けられる表示部４の表示面、および操作部６の操作ボタンの操作部位は、斜め上方に臨んでいる。これによって操作者にとって、表示部４に表示される文字および画像が見やすく、また操作部６を操作しやすい。
【００５２】
表示パネル９は、通信端末装置本体１０の幅方向の略中央部に装着され、正面部が臨む側から見て、表示パネル９の右側にテンキーなどが配置され、表示パネル９の左側にハンドセット２０が配置される。前記表示パネル９の上部に、カメラ部２が設けられる。カメラ部２は、正面部に臨む側から見て通信端末装置１の幅方向に平行な軸線まわりに角変位自在に設けられる。通信端末装置本体１０を水平な載置面に載置したときに、前記カメラ部２の撮像レンズを正面側に向けたときの撮像レンズの光軸は、少なくとも水平にすることができる。
【００５３】
通信端末装置本体１０の背後には、原稿をスキャナ部１８に案内し、記録シートを前記印刷部１９に案内する案内部材２４が設けられる。
【００５４】
図１を参照して、留守モードを設定するときの通信端末装置１の動作の手順を説明する。留守モードは、予め定める動作モードに含まれる。通信端末装置１の電源を投入すると、ステップａ０からステップａ１に移る。ステップａ１では、留守モードの設定指令があるか否かを判断する。つまり、操作部６の留守モード設定ボタンが操作されたか否かを判断する。ステップａ１で、留守モードの設定指令があったと判断した場合、ステップａ２に移る。
【００５５】
ステップａ２では、装置制御部２２は、スピーカ部２３を制御して、予め定めるメッセージ情報をスピーカ部２３に発音させて、ステップａ３に移る。前記予め定めるメッセージ情報は、留守モードにおいて、前記留守応答制御部１５が送信するメッセージ情報である。
【００５６】
ステップａ３では、装置制御部２２は、留守応答制御部１５に予め定める暗証番号情報が登録、つまり記録され、かつ留守モニター動作記憶部１３に予め定める通知先であるメールアドレスが登録、つまり記憶されているか否かを判断する。
【００５７】
ステップａ３において、前記暗証番号情報が登録され、かつメールアドレスが登録されていると判断した場合には、ステップａ４に移る。
【００５８】
ステップａ４では、装置制御部２２は、予め定める時間撮像モードとして、装置の各部を制御する。前記表示パネル９には、操作部６として十字ボタン３３が設けられる。撮像モードでは、装置制御部２２は、前記十字ボタンを、撮像倍率を変更する指令入力ボタンおよび露出量を変更する指令入力ボタンとして機能させる。十字ボタン３３には、上ボタン３３ａ、下ボタン３３ｂ、右ボタン３３ｃおよび左ボタン３３ｄが含まれる。撮像モードでは、装置制御部２２は、たとえば上ボタン３３ａを露出量を増加させる指令入力ボタンとして機能させ、下ボタン３３ｂを露出量を減少させる指令入力ボタンとして機能させ、右ボタン３３ｃを撮像倍率を増加させる指令入力ボタンとして機能させ、左ボタン３３ｄを撮像倍率を減少させる指令入力ボタンとして機能させる。
【００５９】
また撮像モードでは、装置制御部２２は、カメラ部２によって撮像した画像を表示部４に表示させる。前記表示部４には、カメラ部２の撮像方向が、前記正面部が臨む方向としたときに撮像される画像の上下方向と、装置の上下方向とが同一になるように画像が表示される。
【００６０】
このように撮像モードとすることによって、操作者は、表示部４に表示されるカメラ部２によって撮像される画像を見ながら、前記十字ボタン３３を操作することによって、撮像される画像の撮像倍率および露出量の設定を容易に変更することがきる。撮像倍率を変更することによって、カメラ部２によって撮像される範囲を変更することができる。
【００６１】
前記予め定める時間は、たとえば前記予め定めるメッセージが終了するまでの間の時間である。本発明の実施の他の形態において、たとえば前記予め定めるメッセージ情報の発音が開始されて、予め定める時間が経過した予め定める時刻から、予め定めるメッセージが終了する時刻までの間に、前記操作部６によって撮像倍率および露出量を変更する指令が入力された場合には、前記予め定める時間を、ステップａ４の処理に移った時刻から、最後に操作部６が操作された時刻に所定時間を加算した時刻までの間としてもよい。
【００６２】
次にステップａ５に移り、装置制御部２２は留守モードを設定して、ステップａ６に移り、フローチャートを終了する。
【００６３】
以上のように、留守モード設定ボタンを操作して、留守モード設定するときに、表示部４には撮像部によって撮像された画像情報が表示される。したがって留守モードにおいて、外部からの遠隔操作によって撮像部に撮像させるように制御する場合、前記留守モードを設定するときに、撮像部によって撮像される撮像範囲の確認を使用者に喚起して、撮像部の撮像方向を、留守時に最適な撮像方向に予め調整するように促すことができる。またこのとき、表示パネル９に設けられる十字ボタン３３によって、撮像される画像の撮像倍率および露出量を変更することができるので、たとえば前記撮像倍率および露出量を変更するために複雑な操作をする必要がなく、容易に設定することができ。したがって、設定のし忘れなどの不注意による撮像状態の不具合を未然に防止することができ、常に最適な撮像状態で撮像することができる。
【００６４】
本発明の他の実施の形態では、前記予め定める動作モードは、留守モード以外の動作モードでもよく、この場合、留守したときに備えて、撮像部の撮像範囲を確認させ、前記撮像範囲が適切であるか否かの注意を促すことができる。また予め定める動作モードを設定するときに表示部に撮像された画像が表示されるので、動作モードが設定されたことを確認することができる。
【００６５】
また通信端末装置１を遠隔操作するためには、図５の説明で説明するが、暗証番号情報が登録されている必要があり、また遠隔操作によって他の通信装置において撮像された画像データを得るためには、予め定める通知先であるメールアドレスが登録されていなければ、撮像部の設定を変更する必要がないので、ステップａ３の処理を実行することによって、無駄な処理を省略することができる。
【００６６】
本発明の他の実施の形態において、図１に示すステップａ３の処理を省略し、ステップａ２が終了すると、ステップａ４の処理を行ってもよい。
【００６７】
図４は、メニュー表示モードから撮像部の設定を変更する手順を説明する図である。通信端末装置１では、操作部６に設けられる機能ボタンを操作することによって、撮像部の設定、具体的には、撮像倍率および露出量を変更することができる。機能ボタンは、たとえば表示パネル９に設けられる。
【００６８】
機能ボタンを操作することによって、装置制御部２２は、制御指令を表示部４に与えて、図４（１）に示すような留守モニター設定メニュー４１を表示部４の表示画面に表示させる。
【００６９】
留守モニター設定メニュー４１には、設定可能な動作モードを選択する複数のモード選択表示ボタン４２が設けられる。図４（１）に示すように、モード選択表示ボタン４２として、「１．送信先設定」、「２．撮像画質設定」および「３．カメラ調整」が表示される。前記モード選択表示ボタン４２のうち、選択されているものの下部には、下線が表示され、これによって操作者は、どのモード選択表示ボタン４２が選択されているかを判断することができる。図４（１）に示す表示画面４１では、「３．カメラ調整」の下部に下線が表示され、この「３．カメラ調整」が選択されている状態である。モード選択表示ボタン４２は、表示画面４１の上下方向に並んで表示される。
【００７０】
メニュー表示モードにおいて、装置制御部２２は、前述した十字ボタン３３をモード選択表示ボタン４２を選択する指令入力ボタン、つまりモード選択操作ボタンとして機能させる。十字ボタン３３のうち、上ボタン３３ａまたは下ボタン３３ｂを操作することによって、下線を移動させて、上下方向に並ぶモード選択表示ボタン４２を順番に選択することができる。
【００７１】
前記十字ボタン３３の中央部には、中央ボタン３４が設けられ、メニュー表示モードにおいて、装置制御部２２は、中央ボタン３４を、選択したモード選択表示ボタン７２を決定する指令入力ボタンとして機能させる。
【００７２】
「１．送信先設定」は、前記動作モニター記憶部１３に記憶される通知先のメールアドレスを設定するメニューに移行するためのボタンである。
【００７３】
「２．撮像画質設定」は、撮像される画像の画質を選択するための画質選択メニューに移行するためのボタンである。
【００７４】
「３．カメラ調整」は、撮像倍率および露出量を調整するために、カメラ調整モードに移行するためのボタンである。
【００７５】
モード選択表示ボタン４２の下方には、操作の方法が表示される。たとえば十字ボタンであることを示す記号「＋」を用いて、たとえば十字ボタン３３で選択することを示唆する「［＋］で選択」が表示され、中央ボタン３４で決定することを示唆する「［決定］で決定」が表示される。このように操作方法を同時に表示されるので、操作者にとって操作しやすくなる。
【００７６】
十字ボタン３３の上ボタン３３ａまたは下ボタン３３ｂを操作することによって、複数のモード選択表示ボタン４２のうちの１つを選択することができる。たとえば、図４（１）に示す表示状態から、中央ボタン３４を操作する、つまり押下すると、カメラ調整モードとなり、装置制御部２２は表示部４に、図４（２）に示す表示画面４１を表示させる。
【００７７】
図４（２）は、カメラ調整モードにおける表示画面４１を示す図である。カメラ調整モードでは、装置制御部２２は、カメラ部２によって撮像された画像を表示部４の表示画面４１に表示させるとともに、撮像モードの場合と同様に、装置制御部２２は、前記十字ボタン３３を、撮像倍率を変更する指令入力ボタンおよび露出量を変更する指令入力ボタンとして機能させる。つまり装置制御部２２は、たとえば上ボタン３３ａを露出量を増加させる指令入力ボタンとして機能させ、下ボタン３３ｂを露出量を減少させる指令入力ボタンとして機能させ、右ボタン３３ｃを撮像倍率を増加させる指令入力ボタンとして機能させ、左ボタン３３ｄを撮像倍率を減少させる指令入力ボタンとして機能させる。また中央ボタン３４を、メニュー選択表示ボタン４２を決定する指令入力ボタンとして機能させる。
【００７８】
またカメラ調整モードでは、装置制御部２２は、表示部４に制御指令を与え、表示部４の上部に、ステータスバー４３を表示させる。ステータスバー４３には、表示パネル９の状態を表す情報が表示されている。表示パネル９の状態を表す情報には、設定情報が含まれる。ステータスバー４３には、具体的には電源の状態を表す電源状態表示領域４４と、撮像する画像の画質を表す画質表示領域４５、撮像された画像を記憶する場所を表す記憶場所表示領域４６、撮像可能な画像の枚数を表す撮像可能枚数表示領域４７と、撮像倍率を表す撮像倍率表示領域４８と、基準値に対する画像の明るさを表す露出表示領域４９とが設けられる。
【００７９】
表示パネル９には、表示パネル９を通信端末装置本体１０から離脱させたときに表示パネル９の各部に電力を供給する充電池が設けられる。前記電源状態表示領域４４には、前記充電池の残容量が表示される。前記残容量の表示は、たとえば充電池の大まかな残容量を表す記号によって表される。
画質表示領域４５には、画像データ記憶部１５に記憶される画像の画質を表す設定情報が表示される。撮像する画像の画質は、たとえば予め定める設定状態である「ノーマル」と、この「ノーマル」よりも画質が向上される「ファイン」とがある。標準モードが設定されている場合には、「ノーマル」と表示され、高画質モードが設定されている場合には、「ファイン」と表示される。具体的には、標準モードと高画質モードとでは、撮像データ記憶部１５に記憶する画像データの圧縮率が異なる。初期設定では、標準モードに設定され、パネル操作部１４の操作によって設定を変更することができる。前記設定情報は、パネル制御部１９に記憶される。高画質モードでは、パネル制御部１９は、標準モードの場合よりも画像の圧縮率を小さくして、圧縮した画像データを解凍する場合に、画像の劣化がより少ない状態となるように画像データを画像データ記憶部１５に記憶させる。図４（２）では、高画質モードを示す「ファイン」が表示されている。
【００８０】
前述した画像データ記憶部１５は、通信端末装置１に固定される内蔵メモリおよび通信端末装置１に着脱自在に設けられる着脱メモリを含む。記憶場所表示領域４６には、記憶場所が内蔵メモリである場合には、内蔵メモリであることを示す記号が表示され、記憶場所が着脱メモリである場合には、着脱メモリを表す記号が表示される。たとえば着脱メモリとしてＳＤカードを用いる場合には、図４（２）に示すように、画像データが記憶される場所が着脱メモリであることを表す記号「ＳＤ」が表示される。
【００８１】
撮像可能枚数表示領域４７には、撮像可能な画像の枚数を表す数字「ｎ」（ｎは、０を含む正の整数）が表示される。この撮像可能枚数表示領域４７には、前述した記憶場所表示領域４６に表示されている記憶場所における、記憶可能な画像の枚数が表示される。
【００８２】
撮像倍率表示領域４８には、撮像倍率の設定情報が表示される。撮像倍率は、予め定める基準値、および予め定める基準値のｍ（ｍは、１より大きな正の数）倍に設定することができ、本実施の形態では、たとえば基準値の２倍または４倍に設定することができる。撮像倍率表示領域４８には、撮像倍率が基準値の場合には、「標準」と表示され、２倍の場合には、「×２」と表示され、４倍の場合には、「×４」と表示される。
【００８３】
露出表示領域４９には、露出の状態を表す設定情報が表示される。露出量は、予め定める基準値、および予め定める基準値から明るくなる方向にｐ（ｐは、１よりも大きな正の整数）段階、また予め定める基準値から暗くなる方向にｑ（ｑは、１よりも大きな正の整数）段階に設定することができる。本実施の形態では、予め定める基準値から明るくなる方向に２段階、予め定める基準値から暗くなる方向に２段階変更することができ、合計５つの露出量から任意に設定することができる。露出量の設定において、まず予め定める基準値を決定しておき、画像を明るくする場合には、前記予め定める基準値を明るくなる方向に変化させ、画像を暗くする場合には、前記予め定める基準値を暗くなる方向に変化させる。前記露出量は、カメラ部２のシャッタスピードおよび増幅率を変更することによって変更することができる。
【００８４】
露出表示領域４９には、露出量が基準の場合には、「±０」と表示され、基準から１段階明るい場合には、「＋１」と表示され、２段階明るい場合には「＋２」と表示される。また標準から１段階暗い場合には、「−１」と表示され、２段階暗い場合には「−２」と表示される。
【００８５】
本実施の形態では、表示画面４１に向かって左から順番に、電源状態表示領域４４、画質表示領域４５、記憶場所表示領域４６、撮像可能枚数表示領域４７、撮像倍率表示領域４８、および露出表示領域４９が順番に並んで表示されているが、本発明の実施の他の形態において、前記ステータスバー４３の各表示領域の並びは前述の順番に限らず、たとえば電源状態表示領域４９が表示画面４１に向かって最も右に設けられてもよい。このように、表示画面４１にステータスバー４２を設けることによって、操作者は、表示パネル９の状態を即座に把握することができる。
【００８６】
前記ステータスバー４２の下部には、カメラ部２によって撮像された画像が表示される。前記ステータスバー４２の各表示領域に表示される記号、および文字を除く領域にも、撮像された画像が表示されるように構成してもよく、またステータスバー４２は、所定の操作ボタンを操作することによって、表示させる構成であってもよい。
【００８７】
図４（３）に示すように、十字ボタン３３のうち右ボタン３３ｃを操作することによって、装置制御部２２は、画像処理部３に制御指令を与えて撮像倍率を変更させ、現在の撮像倍率から２倍の撮像倍率に変更することができる。ただし撮像倍率が４倍のときには、装置制御部２２は、右ボタン３３ｃが操作されても指令をはねつける、つまり受け付けない。また十字ボタン３３のうち左ボタン３３ｄを操作することによって、装置制御部２２は、画像処理部３に制御指令を与えて撮像倍率を変更させ、現在の撮像倍率から１／２倍の撮像倍率に変更することができる。ただし撮像倍率が等倍つまり標準のときには、装置制御部２２は、左ボタン３３ｄが操作されても指令をはねつける、つまり受け付けない。
【００８８】
図４（４）に示すように、十字ボタン３３のうち上ボタン３３ａを操作することによって、装置制御部２２は、カメラ部２に制御指令を与えて露出量を変更させ、現在の露出量から１段階露出量を多くする、つまり撮像される画像を明るくすることができる。ただし露出量が最大のときには、装置制御部２２は、上ボタン３３ａが操作されても指令をはねつける、つまり受け付けない。また十字ボタン３３のうち下ボタン３３ｂを操作することによって、装置制御部２２は、カメラ部２に制御指令を与えて露出量を変更させ、現在の露出量から１段階露出量を少なくする、つまり撮像される画像を暗くすることができる。ただし露出量が最大のときには、装置制御部２２は、上ボタン３３ａが操作されても指令をはねつける、つまり受け付けない。
【００８９】
また決定ボタン３４を操作すると、図４（５）に示すように表示画面４１に「設定しました。」という文章が表示され、変更された撮像倍率および露出量の情報が、装置制御部２２に設定される。このように、表示画面４１に表示されるメニュー４１から撮像部の設定を変更することができる。
【００９０】
図５および図６は、本発明の実施の一形態の通信端末装置１の予め定める動作モードに含まれる留守モードにおける動作の手順を示すフローチャートである。操作部６は、留守モード設定ボタンを含み、この留守モード設定ボタンを操作することによって、装置制御部２２に指令を与え、装置制御部２２が留守モードに対応する制御プログラムを実行し、通信端末装置１が留守モードに設定される。
【００９１】
操作部６による入力操作によって、通信端末装置１を留守モードに設定すると、ステップｂ０からステップｂ１に移る。ステップｂ１では、回線Ｉ／Ｆ部１７において、通信回線を介して所定の通信情報を受信したか否かを装置制御部２２が判断する。前記所定の通信情報は、公衆電話交換ネットワークＰＳＴＮの通信回線からの呼出信号である。前記呼出信号は、予め定める時間Ｔをあけて、定期的に送信される信号である。
【００９２】
ステップｂ１において、装置制御部２２が呼出信号を受信したと判断すると、ステップｂ２に移り、呼出信号を受信していないと判断すると、ステップｂ１を予め定める間隔をあけて繰返す。
【００９３】
ステップｂ２では、装置制御部２２は、呼出信号に応答した制御指令をスピーカ部２３に与え、スピーカ部２３に予め定める回数、呼出音を発音させた後、回線Ｉ／Ｆ部１７に制御指令を与えて、通信回線に接続、つまり通信回線を介して所定の通信情報を受信し、かつ通信回線に所定の通信情報を送信可能な状態とするとともに、留守応答制御部１５に制御指令を与えて、留守応答を開始させて、ステップｂ３に移る。留守応答制御部１５は、所定の通信情報として応答メッセージ情報を回線Ｉ／Ｆ部１７から通信回線に送信する。前記応答メッセージ情報は、たとえば「ただいま電話に出ることができません…」という内容である。
【００９４】
ステップｂ３では、留守応答制御部１５が、前記応答メッセージ情報の送信が終了するまでに、暗証番号情報を受信したか否か判断する。応答メッセージ情報の送信が終了するまでに、通信回線を介して通信情報を受信した場合、ステップｂ４に移る。
【００９５】
ステップｂ４では、留守応答制御部１５は、受信した通信情報と、応答記憶メモリに記憶される予め定める暗証番号情報とを比較することによって、正しい暗証版情報を受信したか、つまり予め定める暗証番号情報を受信したか否かを判断する。ステップｂ４において、予め定める暗証番号情報を受信したと判断した場合には、ステップｂ５に移る。前記留守応答制御部１５は、暗証番号情報を受信したと判断した場合に、装置制御部２２に暗証番号情報を受信したことを通知する。
【００９６】
ステップｂ５では、装置制御部２２は、留守モニター動作制御部１４に制御指令を与え、留守モニター動作制御部１４は、予め定める発信音信号を受信したか否かを判断する。留守モニター動作制御部１４は、留守モニター動作記憶部１３に記憶されている制御プログラムを実行し、留守モニター動作記憶部１３に記憶されている予め定める発信音信号を受信したか否かを判断する。通信回線を介して前記予め定める発信音信号を受信したと判断した場合、ステップｂ６に移り、前記予め定める発信音信号を受信していないと判断した場合、ステップｂ５を繰返す。前記留守応答制御部１５は、予め定める暗証番号情報を受信したと判断した場合に、装置制御部２２に暗証番号情報を受信したことを通知する。
【００９７】
ステップｂ６では、予め定める発信音信号を受信したことを表す情報、つまり遠隔操作の指令を受け付けたことを表す情報を留守モニター動作制御部１４が回線Ｉ／Ｆ部１７に送信させ、ステップｂ７に移る。前記予め定める発信音信号を受信したことを表す情報は、たとえば所定の音情報によって表される。これによって、前記所定の音情報を受信した他の通信装置に設けられるスピーカにおいて、所定の音を発音させることができる。
【００９８】
ステップｂ７では、留守モニター動作制御部１４が、留守モニター動作記憶部に記憶される予め定める発信音信号に対応する制御プログラムを実行して、装置制御部２２とともに通信端末装置１の各部を制御して、ステップｂ８に移り、フローチャートを終了する。
【００９９】
前述のステップｂ３において、留守応答制御部１５が、応答メッセージ情報の送信が終了するまでに、暗証番号情報を受信していないと判断した場合には、ステップｂ９に移り、留守応答処理部１５は、予め定める処理を実行して、ステップｂ８に移り、フローチャートを終了する。前記予め定める処理とは、留守番電話の応答処理である。留守番電話の応答処理では、通信回線を介して受信する音声信号を記憶する処理を含む。
【０１００】
前述のステップｂ４において、予め定める暗証番号情報とは異なる他の暗証番号情報を受信したと判断すると、ステップｂ１０に移る。ステップｂ１０では、留守応答制御部１５が、回路Ｉ／Ｆ部１７によって、前記他の暗証番号情報を受信した回数を判定し、前記他の暗証番号情報を受信した回数が予め定める回数を超えたか否かを判断する。前記予め定める回数は、たとえば３回とする。
【０１０１】
ステップｂ９において、前記他の暗証番号情報を受信した回数が予め定める回数を超えていないと判断した場合、ステップｂ３に移り、前記他の暗証番号情報を受信した回数が予め定める回数を超えたと判断した場合、ステップｂ１１に移る。留守応答制御部１５は、前記他の暗証番号情報を受信した回数が予め定める回数を超えたと判断した場合、装置制御部２２に前記他の暗証番号情報を受信した回数が予め定める回数を超えたことを示す情報を与える。
【０１０２】
ステップｂ１１では、装置制御部２２が撮像部を不能動化する、つまり前記他の暗証番号情報を受信した回数が予め定める回数を超えたことを示す情報を受取ると、装置制御部２２は、カメラ部２および画像処理部３を制御して、撮像させない。ステップｂ１１の処理が終了すると、ステップｂ９に移る。これによって、暗証番号情報を複数回リトライして通信端末装置１に与え、不正に遠隔操作して撮像部によって撮像しようとする行為を防止することができる。
【０１０３】
本発明の他の実施の形態においてステップｂ１１では、回路Ｉ／Ｆ部１７によって通信回線を切断してもよい。この場合も、暗証番号情報を複数回リトライして通信端末装置１に与え、回線が切断されることによって、セキュリティを高める効果がある。
【０１０４】
通信回線を介して通信が行われる他の通信装置が通信回線を切断する、つまり他の通信装置において、通信端末装置１との間の通信状態を切断するによって、図５に示すフローチャートを終了させることができる。また図５に示すフローチャートを終了すると、再びステップｂ１に移る。また留守モードの設定を解除することによって、図５に示すフローチャートを終了させることができる。
【０１０５】
図６は、図５のステップｂ６において、受信した発信音信号によって、カメラ部２によって撮像された画像情報を、予め定める通知先に送信する動作モードが選択された場合の、通信端末装置１の処理動作の手順を示すフローチャートである。図６では、表１に示した「８♯」に対応する発信音信号を受信した場合について示す。
【０１０６】
図５に示すステップｂ６が終了すると、ステップｃ０からステップｃ１に移る。ステップｃ１では、留守モニター動作制御部１４は、カメラ部２および画像処理部３に制御指令を与え、カメラ部２および画像処理部３を起動させて、撮像させ、ステップｃ２に移る。
【０１０７】
ステップｃ２では、留守モニター動作制御部１４は、装置制御部２２および撮像データ記憶部５に制御指令を与えて、ステップｃ１で撮像して得られた画像データを圧縮した状態で撮像データ記憶部５に記憶させて、ステップｃ３に移る。
【０１０８】
ステップｃ３では、留守モニター動作制御部１４は、メール制御部１１に制御指令を与えて、電子メールを作成させる。メール制御部１１では、メール作成機能付きブラウザによって、電子メールが作成される。メール制御部１１で作成される電子メールの宛先、つまり通知先には前述した留守モニター動作記憶部１３に記憶される通知先の情報が用いられる。
【０１０９】
図７は、メール制御部１１によって作成される電子メールを表示部４に表示させて示す図である。電子メールには、送信先を表す宛先領域２５、電子メールの表題を表す件名領域２６、電子メールの内容を表す本文領域２７、および電子メールに添付されるデータを表す添付データ領域２８が設けられる。宛先領域２５には、予め定める通知先が設定される。件名領域２６には、たとえば「留守番カメラリモート画像」という文章が記載され、本文領域２７には、たとえば「留守番カメラリモート画像を送付します。」という文章が記載される。件名領域２６および本文領域２７に記載される文章は、定型文とする。添付データ領域２８には、前記ステップｃ２において、撮像データ記憶部５に記憶された画像データを表す情報が記載され、これによって前記画像データが、電子メールに添付される。
【０１１０】
ステップｃ３が終了すると、ステップｃ４に移る。ステップｃ４では、通信回線が切断されているか否かを判断する。つまりステップｃ４では、通信回線を介して前記発信音信号を受信した他の通信装置との通信が切断されているか否かを判断する。ステップｃ４において、通信回線が切断されていると判断した場合、ステップｃ５に移る。
【０１１１】
ステップｃ５では、メール制御部１１によって予め定める接続先に通信回線を接続、つまり予め定める接続先との間で通信可能な状態にする。メール制御部１１は、装置制御部２２を介してダイヤル制御部１６および回線Ｉ／Ｆ部１７を制御し、たとえば通信事業者の提供するインターネット接続サービスのアクセスポイントに接続する、または予め定めるインターネット接続事業者、いわゆるプロバイダの接続ポイントにダイヤルアップ接続して、所定の通信情報の送受信が可能な状態とする。
【０１１２】
ステップｃ６では、メール制御部１１が、回線Ｉ／Ｆ部１７を介して、ステップｃ３において作成した電子メールを送信して、ステップｃ７に移る。
【０１１３】
ステップｃ７では、メール制御部１１が、制御指令を回線Ｉ／Ｆ部１７に与えて、回線Ｉ／Ｆ部１７が通信回線を切断してステップｃ８に移り、フローチャートを終了し、図５のステップｂ８に移る。
【０１１４】
前述のステップｃ４において、通信回線が切断されていないと判断した場合、ステップｃ９に移る。ステップｃ９では、回線を切断、つまり通信を切断してステップｃ５に移る。
【０１１５】
本発明の実施の他の形態において、他の通信装置との通信を切断していなくても、電子メールの送信が可能な場合、たとえばＡＤＳＬ（Ａｓｙｍｍｅｔｒｉｃ  Ｄｉｇｉｔａｌ  Ｓｕｂｓｃｒｉｂｅｒ  Ｌｉｎｅ）を利用して電子メールを送信する場合などにおいては、図２に示すステップｃ４およびステップｃ５の処理を省略してもよい。
【０１１６】
また図２に示すフローチャートでは、受信した発信音信号によって、カメラ部２によって撮像された画像情報を、予め定める通知先に送信する動作モードが選択された場合の、通信端末装置１の処理動作を示しているが、たとえば受信した発信音信号によって、カメラ部２によって撮像された画像情報を撮像データ記憶部５に記憶させる動作モードが選択された場合には、通信端末装置１の処理動作は、図２に示すフローチャートと同様であり、ステップｃ１およびステップｃ２の処理が終了すると、ステップｃ８に移る。
【０１１７】
図８は、通信端末装置１を含むシステムの構成を示す概略的に示す系統図であり、図９はユーザ端末装置３１が通信端末装置１によって得られる画像データを取得するための、通信端末装置１とユーザ端末装置３１との間の通信動作を概略的に表すシーケンス図である。ユーザ端末装置３１は、たとえば携帯電話装置であり、表示部を有し、表示部に画像を表示させることができる。通信端末装置１には、１．留守モードが設定され、かつ、２．予め定める通知先である送信先のメールアドレスが登録されている。前記送信先のメールアドレスに送信される電子メールは、ユーザ端末装置３１によって受信することができるものであるとする。
【０１１８】
まず、ユーザ端末装置３１から通信端末装置１に電話をかける、つまり通信端末装置１と通信するための識別情報である電話番号をダイヤルすると、通信端末装置１では、通信回線である電話回線を介して呼出信号を受信し、着信する（１）。
【０１１９】
通信端末装置１では、留守モードが設定されているので、回線を接続し、通信端末装置１とユーザ端末装置３１とによって通信可能な状態として、留守応答制御部１５が「ただいま…」という応答メッセージを送信する。このときに、ユーザ端末装置３１に設けられるキーを操作して、たとえば記号「♯」＋４桁の暗証番号をトーン入力する、つまり予め定める暗証番号情報を表す予め定める所定のＤＴＭＦ信号を送信する（２）。
【０１２０】
通信端末装置１では、予め定める暗証番号情報を受信すると、予め定める発信音信号、言い換えればリモート指示情報を待ち受ける状態となる。本実施の形態では、前記暗証番号情報を受信すると、留守応答制御部１５が、たとえば「新しい要件は…」という遠隔操作を促す応答メッセージ情報を送信してもよい。
【０１２１】
利用者は、カメラ部２によって撮像させ、得られた画像データをユーザ端末装置３１によって受信する場合、予め定める発信音信号を送信するため、リモート指令情報である「８」および「♯」を順番にトーン入力する。通信端末装置１では、リモート指示情報に対応した発信音信号を受信し、指令を受け付けたことを示す音情報を送信する。ユーザ端末装置３１では、前記音情報を受信すると、受話器によって予め定める音が発音されるので、利用者は、通信端末装置１が予め定める発信音信号を受信したことを確認することができる（３）。たとえば、前記リモート指令情報をトーン入力しても、連続して２回入力する場合、およびカメラ部２によって撮像できない場合には、通信端末装置１は、指令を受け付けないことを示す音情報を送信してもよい。通信端末装置１では、カメラ部２によって撮像し、得られた画像データが撮像データ記憶部５に記憶される。
【０１２２】
利用者は、通信端末装置１に予め定める発信音信号を送信することによって動作指令を与えた後に、ユーザ端末装置３１と通信端末装置１との通信を切断する（４）。
【０１２３】
ユーザ端末装置３１との通信が切断されると、メール制御部１１が有するメール作成機能付きのブラウザによって電子メールが作成される。電子メールには前述したように、カメラ部２によって撮像し、得られた画像データが添付される。電子メールの作成は、回線切断後、数十秒程度で開始される。
【０１２４】
電子メールが作成されると、予め定める接続先に通信回線を接続して、指定登録アドレス、つまり登録されている送信先のメールアドレスに電子メールを送信する。ここで、着信衝突および回線使用中である場合など予め定める接続先に接続することができない場合には、予め定める時間間隔を設けて、予め定める接続先に接続するようにしてもよい。電子メールは、メールサーバ３２に格納され、メールサーバ３２からユーザ端末装置３１に送信される、またはユーザ端末装置３１がメールサーバ３２に通信回線を接続することによって電子メールを受信することによって、ユーザ端末装置３１において、前記画像データが添付された電子メールを受信することができる（５）。
【０１２５】
また前記メールサーバ３２からユーザ端末装置３１へは、電子メールの本文だけが送信され、ユーザ端末装置３１がメールサーバ３２に通信回線を接続することによって、画像データを受信する構成であってもよい。
【０１２６】
このように利用者は、たとえば外出先であっても、ユーザ端末装置３１を操作することによって、遠隔地にある通信端末装置１に、たとえば室内を撮像させ、得られた画像データをユーザ端末装置３１によって受信可能な通知先に送信させることによって、前記室内の様子を知ることができる。したがって、たとえば通信端末装置１を、室内のペットの様子をみる監視カメラおよび防犯カメラとして機能させることができる。
【０１２７】
また遠隔操作するためには、受信した所定の通信情報に含まれる認証情報が、留守応答記憶メモリに記憶されている予め定める認証情報と一致する必要があるので、予め定める認証情報を送信することができる特定の利用者のみが、遠隔操作によって撮像部に撮像させることができる。したがって、不特定多数の操作者によって遠隔操作され、不所望に撮像部による撮像が行われてしまうことが防止され、セキュリティが向上される。また、さらに撮像部によって撮像させるためには、予め定める発信音信号を受信する必要があるので、さらにセキュリティが向上される。また前記予め定める暗証番号情報および予め定める発信音信号は、たとえばディーティーエムエフ（ＤＴＭＦ）信号によって表され、このような信号は、様々な通信機器、たとえば電話機および携帯電話機の入力部を操作することによって、送信することができる。したがって、様々な通信機器から遠隔操作することができ、利便性が向上される。
【０１２８】
また通信端末装置１では、一旦回線を切断した後、設定されたサーバーに電子メールに添付された画像データを送信する構成としており、かつ画像データの送付先については、外部から設定することはできず、通信端末装置１を保有している利用者のみが設定することができるので、不所望に撮像部によって得られる画像データがとりだされる可能性は低い。
【０１２９】
操作部６は、留守モード設定ボタンを含み、この留守モード設定ボタンを操作することによって、装置制御部２２に指令を与え、装置制御部２２が留守モードに対応する制御プログラムを実行し、通信端末装置１が留守モードに設定される。通信端末装置１では、留守モード設定中に、通信回線を介して呼出信号を受信し、利用者が、たとえばハンドセット２０をオフクックする、または電話機子機によって応答することによって、回線を補足し、その後回線を切断した場合、装置制御部２２は、回線が切断された後、予め定める時間、撮像部を不能動化する。そして、予め定める時間経過したと判断すると、装置制御部２２は撮像部の不能動化を解除し、これによって利用者は、前述した手順で遠隔操作によって撮像させることができる。前記予め定める時間は、たとえば３０分である。ハンドセット２０などによって回線を補足する場合、利用者が在宅しているため、外部からの遠隔操作によって撮像されることが防止される。
【０１３０】
図５に示すフローチャートは、留守モードにおける動作処理について説明したが、予め定める動作モードには、在宅モードが含まれる。在宅モードは、留守モードを設定してない状態の動作モードである。在宅モードでは、指定の着信回数が経過するまでに、オフフックなどの利用者による回線補足操作が行われない場合、指定着信回数に到達した時点で、装置制御部２２が回線Ｉ／Ｆ部１７に回線を補足させ、留守応答制御部１５が回線Ｉ／Ｆ部１７から「ただ今近くにおりません…」という応答メッセージ情報を相手側に送信する。この場合、通信端末装置１は、留守モードの場合と同様に動作し、つまり図５に示すフローチャートのステップｂ２〜ステップｂ１１までの処理と同様な動作を実行する。これによって、応答メッセージが流れている間に、通信回線を介して暗証番号情報を与え、また予め定める発信音信号を与えることによって、遠隔操作することができる。したがって、留守モードを設定し忘れて、外出した場合であっても、利用者は、遠隔操作によって撮像することができる。
【０１３１】
また本発明の他の実施の形態において、前記在宅モードでは、撮像部を不能動化させてもよい。本実施の形態の在宅モードでは、指定の着信回数が経過するまでに、オフフックなどの利用者による回線補足操作が行われない場合、指定着信回数に到達した時点で、装置制御部２２が回線Ｉ／Ｆ部１７に回線を補足させ、留守応答制御部１５が回線Ｉ／Ｆ部１７から「ただ今近くにおりません…」という応答メッセージ情報を相手側に送信する。装置制御部２２は、撮像部を不能動化し、応答メッセージ情報が流れている間に、通信回線を介して暗証番号情報を与え、また予め定める発信音信号を与えても、遠隔操作によって撮像することを防止する。これによって、居留守の場合など、撮像されたくない場合において、利便性が向上される。本発明のさらに他の実施の形態において、在宅モードでは、呼出信号に対応して、スピーカ部２３から発音させるのみであってもよい。また本発明のさらに他の実施の形態において、前記在宅モードでは、撮像部を不能動化するか否かは、また呼出信号に対応して、スピーカ部２３から発音させるのみとするのかを利用者が設定してもよい。これによって利用者にとって、選択肢が拡がり、利便性が向上される。
【０１３２】
本実施の形態の通信端末装置１では、１枚の画像を撮像するが、本発明の他の実施の形態において、予め定める間隔を設けて複数の画像を連続してカメラ部２によって撮像してもよく、また撮像した複数の画像データを電子メールに添付して送信してもよい。また本発明の他の実施の形態において、予め定める発信音信号を受信してから予め定める時間経過した後に、前記撮像部によって撮像してもよい。
【０１３３】
また本発明の他の実施の形態において、前記予め定める発信音信号を表す情報によって、カメラ部２による撮像倍率の変更、また露出量の変更を行ってもよい。表２は、留守モニター動作記憶部１３に追加して記憶される予め定める発信音信号と、この予め定める発信音信号を表す情報に対応して記憶される制御プログラムを実行して達成される装置の動作を示す。
【０１３４】
【表２】
2005012578.tif 000004
【０１３５】
たとえば、撮像倍率を大きくして撮像した画像を、予め定める通知先に送信させる場合には、前記図９に示すリモート指令情報を送信する場合に、「９♯」および「８♯」を順番にトーン入力すればよい。
【０１３６】
また前述の実施の形態において、前記撮像部によって撮像された画像は、電子メールによって通知先に送信されるが、留守応答制御部に記憶される予め定める通知先情報をファクリミリ番号情報とすることによって、撮像部によって撮像され、撮像データ記憶部５に記憶された画像データをファクシミリ送信させることも可能である。ファクシミリ送信によって撮像部によって得られた画像データを送信する場合、まず、たとえば撮像データ記憶部５に記憶される圧縮された画像データを圧縮・伸張部６２によって伸張させる。撮像によって得られた画像データを、たとえばＪＰＥＧ方式で圧縮している場合、この圧縮された画像データを伸張して、ＹＣｂＣｒ方式の非圧縮の画像データを得る。
【０１３７】
次に、ファクシミリ通信制御部１２が、前記圧縮・伸張部６２によって得られた画像データのうち、輝度データ（Ｙ）のみを取り出して、白黒の画像データを作成する。
【０１３８】
次に、作成された白黒の画像データの解像度を変換する必要がある場合、解像度変換部６３に、解像度を変換させる。
【０１３９】
そして、前記圧縮・伸張部６２に、白黒の画像データを、ファクシミリ送信で用いられる圧縮方法、たとえば前述したＭＨ方式、ＭＲ方式、ＭＭＲ方式およびＪＢＩＧ方式で圧縮させ、回線Ｉ／Ｆ部１７からファクシミリ送信する。
【０１４０】
本実施の形態において、前記予め定める認証情報を、予め定める暗証番号情報としたが、本発明の他の実施の形態において、前記予め定める認証情報は、発信元の電話番号情報としてもよい。この場合、前述した留守応答記憶メモリが、予め定める発信元の電話番号情報を記憶する。前記予め定める発信元の電話番号情報は、操作部６からの入力操作によって設定可能とし、利用者によって予め設定して登録される。
【０１４１】
図１０は、予め定める認証情報として、発信元の電話番号情報を利用した場合の、通信端末装置１の予め定める動作モードに含まれる留守モードにおける動作の手順を示すフローチャートである。図１０に示すフローチャートは、図５に示すフローチャートのステップｂ１とステップｂ２との間に、所定の通信情報に、予め定める発信元の電話番号情報が含まれているか否かを判断するステップが付加されたものであり、その他のステップは、図５に示すフローチャートの各ステップと同じである。つまり、図１０に示すフローチャートのステップｄ０およびステップｄ１の各ステップは、図５に示すフローチャートのステップｂ０およびステップｂ１の各ステップにそれぞれ対応する。また図１０に示すフローチャートのステップｄ３〜ステップｄ１２の各ステップは、図５に示すフローチャートのステップｂ２〜ステップｂ１１の各ステップにそれぞれ対応するので、重複する説明を省略する。
【０１４２】
ステップｄ２では、装置制御部２２は、留守モニター動作制御部１４に制御指令を与え、留守モニター動作制御部１４は、予め定める発信元の電話番情報を受信したか否かを判断する。留守モニター動作制御部１４は、留守モニター動作記憶部１３に記憶されている制御プログラムを実行し、留守モニター動作記憶部１３に記憶されている予め定める発信元の電話番号情報を受信したか否かを判断する。通信回線を介して前記予め定める発信元の電話番号情報を受信したと判断した場合、ステップｄ６に移り、前記予め定める発信元の電話番号情報を受信していないと判断した場合、ステップｄ３に移る。
【０１４３】
このように、認証情報として予め定める発信元の電話番号情報を用いることによって、前述したような暗証番号情報を入力しなくてもよいので、操作性が向上される。また、認証情報として予め定める発信元の電話番号情報を用いることによって、不特定の操作者によって、遠隔操作されることが防止される。
【０１４４】
図１１は、本発明の他の実施の形態における通信端末装置５０の構成を示すブロック図である。画像表示装置である通信端末装置５０の構成は、図２に示す前述した実施の形態の通信端末装置１の構成と同様であり、通信端末装置１の構成に加えて、電話番号記憶部５１および電話番号比較部５２を含む。したがって、前述の通信端末装置１と同様な部分には、同一の参照符号を付して、その説明を省略する。
【０１４５】
電話番号記憶部５１は、予め定める識別情報である予め定める電話番号情報を記憶する。本実施の形態では、電話番号記憶部５１と、留守モニター動作記憶部１３とを含んで動作モード記憶部５３が構成される。
【０１４６】
前記実施の形態では、留守モニター動作記憶部１３には、予め定める発信音信号を表す情報と、この予め定める発信音信号を表す情報に対応する動作モードとが記憶されるが、本実施の形態ではさらに、電話番号記憶部５１に記憶される予め定める電話番号情報に対応した呼出信号の回数と、この予め定める電話番号情報および呼出信号の回数の対応する動作モードとが記憶される。また前記予め定める電話番号情報に対応して、名称である名前が記憶されてもよい。
【０１４７】
また前記留守モニター動作記憶部１３には、予め定める通知先の情報が記憶されている。予め定める通知先の情報は、たとえば電子メールのアドレス情報、およびファクシミリ番号情報の少なくともいずれか１つであり、本実施の形態では、電子メールのアドレス情報であるとする。以後、電子メールのアドレス情報を、単にメールアドレスと記載する場合がある。予め定める通知先情報は、複数設定されてもよいが、本実施の形態では、たとえば予め定める通知先は、１つであるとする。前記メールアドレスは、操作部６による入力操作によって設定することができる。
【０１４８】
表３は、動作モード記憶部５３に記憶される予め定める電話番号情報と、この電話番号情報に対応する呼出信号の回数と、呼出信号の回数に対応する動作モード、つまり制御プログラムを実行して達成される装置の動作とを示す。また表３には、前記電話番号情報に対応して記憶される名前、および送信先の電子メールアドレスを示している。
【０１４９】
【表３】
2005012578.tif 000005
【０１５０】
たとえば、予め定める電話番号情報「０９０ＸＸＸＸ」および呼出回数２回に対応して、カメラ撮像およびメール送信を行う動作モード、つまりカメラ部２によって撮像された画像情報を、予め定める通知先である送信先に送信する動作モードの制御プログラムが記憶される。またたとえば、予め定める電話番号情報「０９０ＸＸＸＸ」および呼出回数３回に対応してカメラ撮像のみを行う動作モード、つまりカメラ部２によって撮像された画像情報を撮像データ記憶部５に記憶させる動作モードの制御プログラムが記憶される。
【０１５１】
電話番号比較部５２は、通信回線を介して受信した所定の通信情報に含まれる発信元の電話番号情報と、電話番号記憶部５１に記憶されている予め定める電話番号情報とを比較する。以後、発信元の電話番号情報を、単に発信元情報と記載する場合がある。
【０１５２】
図１２は、予め定める動作モードである留守モードにおける通信端末装置５０の動作の手順を示すフローチャートである。操作部６の留守モード設定ボタンが操作されることによって、装置制御部２２が留守モードに対応する制御プログラムを実行し、通信端末装置５０が留守モードに設定される。
【０１５３】
操作部６による入力操作によって、通信端末装置５０を留守モードに設定すると、ステップｅ０からステップｅ１に移る。ステップｅ１では、回線Ｉ／Ｆ部１７において、通信回線を介して所定の通信情報を受信したか否かを装置制御部２２が判断する。前記所定の通信情報は、公衆電話交換ネットワークＰＳＴＮの通信回線からの呼出信号である。前記呼出信号は、予め定める時間Ｔをあけて、定期的に送信される信号である。
【０１５４】
ステップｅ１において、装置制御部２２が呼出信号を受信したと判断すると、ステップｅ２に移り、呼出信号を受信していないと判断すると、ステップｅ１を予め定める間隔をあけて繰返す。
【０１５５】
ステップｅ２では、装置制御部２２は、呼出信号に含まれる発信元の電話番号情報を取得しステップｅ３に移る。
【０１５６】
ステップｅ３では、ステップｅ２で装置制御部２２によって取得された発信元の電話番号情報が、前記電話番号記憶部５１に記憶されているか否かを電話番号比較部５２が比較して判断する。ステップｅ３において、前記取得した発信元の電話番号情報が、電話番号比較部５１に記憶されていると判断すると、ステップｅ４に移る。
【０１５７】
ステップｅ４では、留守モニター動作制御部１４が、動作モード記憶部１３に前記発信元の電話番号情報に対応して動作モードが記憶されているか否かを判断する。ステップｅ４において、留守モニター動作記憶部１４に動作モードが記憶されていると留守モニター動作制御部１４が判断すると、ステップｅ５に移る。
【０１５８】
ステップｅ５では、通信回線を介して受信した呼出信号の回数を取得し、受信した発信元の電話番号情報に対応して留守モニター動作記憶部１３に記憶されている呼出信号の回数を超えたか否かを、留守モニター動作制御部１４が判断する。ステップｅ５において、呼出信号の回数が、前記受信した発信元の電話番号情報に対応して留守モニター動作記憶部１３に記憶されている呼出回数の回数を超えていないと留守モニター動作制御部１４が判断すると、ステップｅ６に移る。呼出信号の回数とは、予め定める時間Ｔあけて、定期的に送信される信号の回数である。
【０１５９】
ステップｅ６では、受信した呼出信号の回数が、前記受信した発信元の電話番号情報に対応して留守モニター動作記憶部１３に記憶されている回数であるか否かを、留守モニター動作制御部１４が判断する。ステップｅ６において、受信した呼出信号の回数が、前記受信した発信元の電話番号情報に対応して留守モニター動作記憶部１３に記憶されていると判断すると、ステップｅ７に移る。
【０１６０】
ステップｅ７では、留守モニター動作制御部１４は、留守モニター動作記憶部１３に記憶される前記取得した発信元情報および呼出信号の回数に対応して記憶される制御プログラムを実行して、通信端末装置１の各部を制御して、ステップｅ８に移り、フローチャートを終了する。
【０１６１】
たとえばカメラ部２によって撮像された画像情報を、予め定める通知先に送信する動作モードが選択された場合には、ステップｅ７において、前記図６に示すフローチャートに従って、通信端末装置５０が動作する。
【０１６２】
前述のステップｅ３において、前記取得した発信元の電話番号情報が、電話番号比較部５１に記憶されていないと判断すると、ステップｅ９に移り、予め定める処理を実行して、ステップｅ８に移る。前記ステップｅ９における予め定める処理とは、前述の図５のフローチャートのステップｂ２からステップｂ１１に示す処理のうち選択的に実行される処理である。
【０１６３】
またステップｅ４において、留守モニター動作記憶部１４に動作モードが記憶されていないと留守モニター動作制御部１４が判断すると、ステップｅ９に移る。
【０１６４】
またステップｅ５において呼出信号の回数が、前記受信した発信元の電話番号情報に対応して留守モニター動作記憶部１３に記憶されている呼出回数の回数を超えていないと留守モニター動作制御部１４が判断すると、ステップｅ６に移る。
【０１６５】
図１３は、ユーザ端末装置３１が通信端末装置５０によって得られる画像データを取得するための、通信端末装置５０とユーザ端末装置３１との間の通信動作を概略的に表すシーケンス図である。ユーザ端末装置３１は、前述したように、たとえば携帯電話装置であり、表示部を有し、表示部に画像を表示させることができる。通信端末装置５０には、１．留守モードが設定され、２．予め定める発信元の電話番号情報、この発信元の電話番号情報に対応する呼出回数および動作モードが設定され、かつ３．予め定める通知先である送信先のメールアドレスが登録されている。前記ユーザ端末装置３１の電話番号情報は、「０９０ｘｘｘｘ」である。前記送信先のメールアドレスに送信される電子メールは、ユーザ端末装置３１によって受信することができるものであるとする。
【０１６６】
ユーザ端末装置３１が通信端末装置５０によって得られる画像データを取得するためには、まず、ユーザ端末装置３１から通信端末装置５０に電話をかける、つまり通信端末装置５０と通信するための識別情報である電話番号をダイヤルする。これによって通信端末装置５０では、通信回線である電話回線を介して呼出信号を受信し、着信する（１）。通信端末装置５０では、電話番号比較部５２によって、受信した発信元情報から、電話番号記憶部５１に記憶されている相手からの送信されていることが確認される。
【０１６７】
ユーザ端末装置３１の操作者は、呼出音を聞き、発信音信号の回数を確認する。本実施の形態では、通信端末装置５０をカメラ撮像およびメール送信を行う動作モードとする場合には、予め定める呼出信号の回数を２回に設定している。したがって、ユーザ端末装置３１の操作者は、呼出音が２回鳴ったことを確認して電話を切る、つまり通信回線を切断する（２）。
【０１６８】
通信端末装置５０では、呼出信号の回数から、呼出信号の回数２回に対応した動作モードで動作する。ここでは、カメラ部２によって撮像し、得られた画像データが撮像データ記憶部１１に記憶され、さらにメール制御部１１が有するメール作成機能付きのブラウザによって電子メールが作成される。電子メールには前述したように、カメラ部２によって撮像し、得られた画像データが添付される。電子メールの作成は、カメラ部２による撮像後、数十秒程度で開始される。
【０１６９】
電子メールが作成されると、予め定める接続先に通信回線を接続して、指定登録アドレス、つまり登録されている送信先のメールアドレスに電子メールを送信する。ここで、着信衝突および回線使用中である場合など予め定める接続先に接続することができない場合には、予め定める時間間隔を設けて、予め定める接続先に接続するようにしてもよい。電子メールは、メールサーバ３２に格納され、メールサーバ３２からユーザ端末装置３１に送信される、またはユーザ端末装置３１がメールサーバ３２に通信回線を接続することによって、ユーザ端末装置３１において、前記画像データが添付された電子メールを受信することができる（３）。
【０１７０】
このように利用者は、たとえば外出先であっても、遠隔地にある通信端末装置５０が設置される室内の様子を知ることができる。したがって、通信端末装置５０を、監視カメラおよび防犯カメラとして機能させることができる。また電話料金を発生させずに、通信端末装置５０を遠隔操作の指令を与えることができるので、通信コストの低減された防犯システムを構築することができる。
【０１７１】
また同じユーザ端末装置３１から着信であっても、呼出信号の回数に応じた動作モードで通信端末装置５０を動作させることができる。したがって、通信端末装置５０の利便性が向上する。
【０１７２】
図１４は、本発明のさらに他の実施の形態における通信端末装置１５０の構成を示すブロック図である。画像表示装置である通信端末装置１５０の構成は、図１１に示す前述した実施の形態の通信端末装置５０と同様であり、通信端末装置５０の電話番号記憶部５１および電話番号比較部５２に代えて、パターン情報記憶部１５１およびパターン情報比較部１５２を含む。したがって、前述の通信端末装置５０と同様な部分には、同一の参照符号を付して、その説明を省略する。
【０１７３】
パターン情報記憶部１５１は、予め定める識別情報である呼出信号のパターンに対応する呼出信号のパターン情報を記憶する。
【０１７４】
図１５（１）および（２）は、通信回線を介して受信する呼出信号を模式的に示す図である。たとえば通信端末装置１５０が接続される通信回線を提供する通信事業者におけるサービスにおいて、この通信事業者が有する交換機によって、予め定める相手先からの呼出信号を、他の相手先からの呼出信号とを異ならせるように設定することができる。
【０１７５】
図１５（１）は、通常の呼出信号、つまり前記他の相手先からの呼出信号を模式的に示す図であり、図１５（２）は予め定める相手先からの呼出信号を模式的に示す図である。図１５（１）および（２）において、横軸は時間を表し、縦軸は信号の電圧の振幅を表す。本実施の形態では、通常の呼出信号をＩＲ信号とし、他の相手先からの呼出信号をＳＩＲ信号とする。
【０１７６】
通常の呼出信号では、予め定める時間ｔ１の間隔をあけて、予め定める時間ｔ２の第１信号１８１が回路Ｉ／Ｆ部１７によって受信される。前記予め定める時間ｔ１は、たとえは３秒であり、予め定める時間ｔ２は、たとえば１秒である。
【０１７７】
予め定める相手先からの呼出信号では、予め定める時間ｔ１の間隔をあけて、第２信号１８２が回路Ｉ／Ｆ部１７によって受信される。第２信号は、予め定める時間ｔ３をあけて回路Ｉ／Ｆ１７によって受信される予め定める時間ｔ４の２つの第３信号１８３を含む。前記予め定める時間ｔ３は、前記予め定める時間ｔ３は、たとえば０．２５〜０．３秒であり、予め定める時間ｔ４は、たとえば０．２〜０．３秒である。このように、予め定める相手先からの呼出信号のパターンと、他の相手先からの呼出信号のパターンとが異なる。
【０１７８】
留守モニター動作記憶部１３には、予め定める発信音信号を表す情報と、この予め定める発信音信号を表す情報に対応する動作モードとに加えて、パターン情報記憶部１５１に記憶される予め定める呼出信号のパターン情報に対応した呼出信号の回数と、この予め定める呼出信号のパターン情報、および呼出信号の回数に対応する動作モードとが記憶される。また前記予め定める呼出信号のパターン情報に対応して、名称である名前が記憶されてもよい。
【０１７９】
また前記留守モニター動作記憶部１３には、予め定める通知先の情報が記憶されている。予め定める通知先の情報は、たとえば電子メールのアドレス情報、およびファクシミリ番号情報の少なくともいずれか１つであり、本実施の形態では、電子メールのアドレス情報であるとする。以後、電子メールのアドレス情報を、単にメールアドレスと記載する場合がある。予め定める通知先情報は、複数設定されてもよいが、本実施の形態では、たとえば予め定める通知先は、１つであるとする。前記メールアドレスは、操作部６による入力操作によって設定することができる。
【０１８０】
表４は、動作モード記憶部５３に記憶される予め定める呼出信号のパターン情報と、この予め定める呼出信号のパターン情報に対応する呼出信号の回数と、呼出信号の回数に対応する動作モード、つまり制御プログラムを実行して達成される装置の動作とを示す。また表４には、前記呼出信号を表す情報に対応して記憶される名前、および送信先の電子メールアドレスを示している。
【０１８１】
【表４】
2005012578.tif 000006
【０１８２】
たとえば、予め定める呼出信号のパターン情報「ＳＩＲ信号」および呼出回数２回に対応して、カメラ撮像およびメール送信を行う動作モード、つまりカメラ部２によって撮像された画像情報を、予め定める通知先である送信先に送信する動作モードの制御プログラムが記憶される。またたとえば、予め定める呼出信号のパターン情報「ＳＩＲ信号」および呼出回数３回に対応してカメラ撮像のみを行う動作モード、つまりカメラ部２によって撮像された画像情報を撮像データ記憶部５に記憶させる動作モードの制御プログラムが記憶される。
【０１８３】
パターン情報比較部１５２は、通信回線を介して受信した所定の通信情報に含まれる呼出信号のパターン情報と、パターン情報記憶部１５１に記憶されている予め定める呼出信号のパターン情報とを比較する。
【０１８４】
図１６は、予め定める動作モードである留守モードにおける通信端末装置１５０の動作の手順を示すフローチャートである。操作部６の留守モード設定ボタンが操作されることによって、装置制御部２２が留守モードに対応する制御プログラムを実行し、通信端末装置５０が留守モードに設定される。
【０１８５】
ステップｆ１において、装置制御部２２が呼出信号を受信したと判断すると、ステップｆ２に移り、呼出信号を受信していないと判断すると、ステップｆ１を予め定める間隔をあけて繰返す。
【０１８６】
ステップｆ２では、装置制御部２２は、呼出信号のパターン情報を取得しステップｆ３に移る。
【０１８７】
ステップｆ３では、ステップｆ２で装置制御部２２によって取得された呼出信号のパターン情報が、前記パターン情報記憶部１５１に記憶されているか否かをパターン情報比較部１５２が比較して判断する。ステップｆ３において、前記取得した呼出信号のパターン情報が、パターン情報較部１５１に記憶されていると判断すると、ステップｆ４に移る。
【０１８８】
ステップｆ４では、留守モニター動作制御部１４が、動作モード記憶部１３に前記呼出信号のパターン情報に対応して動作モードが記憶されているか否かを判断する。ステップｆ４において、留守モニター動作記憶部１４に動作モードが記憶されていると留守モニター動作制御部１４が判断すると、ステップｆ５に移る。
【０１８９】
ステップｆ５では、通信回線を介して受信した呼出信号の回数が、受信した発信元の電話番号情報に対応して留守モニター動作記憶部１３に記憶されている呼出信号の回数を超えたか否かを、留守モニター動作制御部１４が判断する。ステップｆ５において、呼出信号の回数が、前記受信した呼出信号のパターン情報に対応して留守モニター動作記憶部１３に記憶されている呼出回数の回数を超えていないと留守モニター動作制御部１４が判断すると、ステップｆ６に移る。呼出信号の回数とは、予め定める時間ｔ１あけて、定期的に送信される信号の回数であり、本実施の形態では、第２信号１８２の回数である。
【０１９０】
ステップｆ６では、受信した呼出信号の回数が、前記受信した呼出信号のパターン情報に対応して留守モニター動作記憶部１３に記憶されている回数であるか否かを、留守モニター動作制御部１４が判断する。ステップｆ６において、呼出信号の回数が、前記受信した呼出信号のパターン情報に対応して留守モニター動作記憶部１３に記憶されていると判断すると、ステップｆ７に移る。
【０１９１】
ステップｆ７では、留守モニター動作制御部１４は、留守モニター動作記憶部１３に記憶される前記取得した呼出信号のパターン情報および呼出信号の回数に対応して記憶される制御プログラムを実行して、通信端末装置１５０の各部を制御して、ステップｆ８に移り、フローチャートを終了する。
【０１９２】
たとえばカメラ部２によって撮像された画像情報を、予め定める通知先に送信する動作モードが選択された場合には、ステップｆ７において、前記図６に示すフローチャートに従って、通信端末装置１５０が動作する。
【０１９３】
前述のステップｆ３において、前記取得した呼出信号のパターン情報が、電話番号比較部５１に記憶されていないと判断すると、ステップｆ９に移り、予め定める処理を実行して、ステップｂ８に移る。前記ステップｆ９における予め定める処理とは、前述の図５のフローチャートのステップｂ２からステップｂ１２に示す処理のうち選択的に実行される処理である。
【０１９４】
またステップｆ４において、留守モニター動作記憶部１４に動作モードが記憶されていないと留守モニター動作制御部１４が判断すると、ステップｆ９に移る。
【０１９５】
またステップｆ５において呼出信号の回数が、前記受信した呼出信号のパターン情報に対応して留守モニター動作記憶部１３に記憶されている呼出回数の回数を超えていないと留守モニター動作制御部１４が判断すると、ステップｆ６に移る。
【０１９６】
通信端末装置１５０によって得られる画像データを取得する場合、前述した通信端末装置１５０は、ユーザ端末装置３１と、図１３に示すシーケンス図で表される通信端末装置５０とユーザ端末装置３１との間の通信動作と同様な通信動作を行う。したがって利用者は、たとえば外出先であっても、遠隔地にある通信端末装置１５０が設置される室内の様子を知ることができる。したがって、通信端末装置５０を、監視カメラおよび防犯カメラとして機能させることができる。また電話料金を発生させずに、通信端末装置１５０を遠隔操作の指令を与えることができるので、通信コストの低減された防犯システムを構築することができる。
【０１９７】
本発明の他の実施の形態において、前記予め定める相手先からの呼出信号と、他の相手先からの呼出信号とは、図１５（１）および（２）に示す呼出信号に限らず、両者が異なっていればよい。
【０１９８】
前述した各実施の形態では、撮像部によって静止画を撮像している、つまり画像データ記憶部１５に記憶される画像データは静止画のデータであるが、本発明の他の実施の形態において、動画を撮像してもよい、つまり画像データ記憶部１５に記憶される画像データは動画のデータであってもよい。
【０１９９】
本発明の実施の他の形態において、通信端末装置１，５０，１５０は、ファクシミリ装置に限らず、公衆回線網に接続可能な通信装置であればよい。前記通信装置は、たとえば電話機、ファクシミリ装置、インターネット電話機、ゲートウェイ、携帯電話機、および携帯電話カードまたはファクシミリカード付きパーソナルデジタルアシスタント（Ｐｅｒｓｏｎａｌ  Ｄｉｇｉｔａｌ  Ａｓｓｉｓｔａｎｔ：略称ＰＤＡ）などを含む。
【０２００】
【発明の効果】
以上のように本発明によれば、前記予め定める動作モードが、たとえば留守モードであれば、留守するにあたって、それ以外の動作モードであれば、留守したときに備えて、撮像部の撮像範囲を確認させ、前記撮像範囲が適切であるか否かの注意を促すことができる。また利用者は、撮像部による撮像範囲を確認しながら、操作部を操作して、たとえば撮像部の撮像倍率および明るさなどを容易に変更することができる。これによって、設定のし忘れなどの不注意による撮像状態の不具合を未然に防止することができ、常に最適な撮像状態で撮像することができる。また予め定める動作モードを設定するときに表示部に撮像された画像が表示されるので、予め定める動作モードが設定されたことを確認することができ、利便性が向上される。
【０２０１】
また本発明によれば、入力部のようなハードウェアによって形成されるモード選択操作ボタンを用いて、表示部に表示され、ソフトウェアによって形成されるモード選択表示ボタンを選択することによって、モード選択操作ボタンを少なく構成することができる。したがって、装置のハードウェア構成を簡略化することができ、部品数を低減して装置の組み立てを容易にすることができる。
【図面の簡単な説明】
【図１】予め定める動作モードに含まれる留守モードを設定するときの通信端末装置１の動作の手順を示すフローチャートである。
【図２】通信端末装置１の構成を示すブロック図である。
【図３】通信端末装置１を示す斜視図である。
【図４】メニュー表示モードから撮像部の設定を変更する手順を説明する図である。
【図５】本発明の実施の一形態の通信端末装置１の予め定める動作モードに含まれる留守モードにおける動作の手順を示すフローチャートである。
【図６】本発明の実施の一形態の通信端末装置１の予め定める動作モードに含まれる留守モードにおける動作の手順を示すフローチャートである。
【図７】メール制御部１１によって作成される電子メールを表示部４に表示させて示す図である。
【図８】通信端末装置１を含むシステムの構成を示す概略的に示す系統図である。
【図９】ユーザ端末装置３１が通信端末装置１によって得られる画像データを取得するための、通信端末装置１とユーザ端末装置３１との間の通信動作を概略的に表すシーケンス図である。
【図１０】予め定める認証情報として、発信元の電話番号情報を利用した場合の、通信端末装置１の予め定める動作モードに含まれる留守モードにおける動作の手順を示すフローチャートである。
【図１１】本発明の他の実施の形態における通信端末装置５０の構成を示すブロック図である。
【図１２】予め定める動作モードである留守モードにおける通信端末装置５０の動作の手順を示すフローチャートである。
【図１３】ユーザ端末装置３１が通信端末装置５０によって得られる画像データを取得するための、通信端末装置５０とユーザ端末装置３１との間の通信動作を概略的に表すシーケンス図である。
【図１４】本発明のさらに他の実施の形態における通信端末装置１５０の構成を示すブロック図である。
【図１５】図１５（１）および（２）は、通信回線を介して受信する呼出信号を模式的に示す図である。
【図１６】予め定める動作モードである留守モードにおける通信端末装置１５０の動作の手順を示すフローチャートである。
【符号の説明】
１，５０  通信端末装置
２  カメラ部
３  画像処理部
４  表示部
５  撮像データ記憶部
６  操作部
１１  メール制御部
１３  留守モニター動作記憶部
１４  留守モニター動作制御部
１５  留守応答制御部
２２  装置制御部
３１  ユーザ端末装置
３２  メールサーバ
４１  留守モニター設定メニュー
４２  モード選択表示ボタン
５１  電話番号記憶部
５２  電話番号比較部
５３  動作モード記憶部
【図１】
2005012578.tif 000007
【図２】
2005012578.tif 000008
【図３】
2005012578.tif 000009
【図４】
2005012578.tif 000010
【図５】
2005012578.tif 000011
【図６】
2005012578.tif 000012
【図７】
2005012578.tif 000013
【図８】
2005012578.tif 000014
【図９】
2005012578.tif 000015
【図１０】
2005012578.tif 000016
【図１１】
2005012578.tif 000017
【図１２】
2005012578.tif 000018
【図１３】
2005012578.tif 000019
【図１４】
2005012578.tif 000020
【図１５】
2005012578.tif 000021
【図１６】
2005012578.tif 000022